(57)【要約】【課題】電気掃除機使用中に、ホース、延長管等に保持したアタッチメントが脱落するのを防止すること。【解決手段】吸引風を発する電動送風機を内蔵し、ホース、延長管、吸込具と連通する接続口を備えた掃除機本体と、隙間等を掃除する為のアタッチメント１と、前記アタッチメント１をホース或いは延長管に保持する為の保持体２を備え、前記保持体２と前記アタッチメント１を複数の係止手段で保持する構成としたもので、アタッチメント１は保持体２に複数の係止手段によって保持されており、アタッチメント１の回転及び移動を規制し、確実に保持しているので、使用中でのアタッチメント１の脱落を防止することができる。【選択図】図１
2006043185.tif 000002
【特許請求の範囲】
【請求項１】
吸引風を発する電動送風機を内蔵し、ホース、延長管、吸込具と連通する接続口を備えた掃除機本体と、隙間等を掃除する為のアタッチメントと、前記アタッチメントをホース或いは延長管に保持する為の保持体を備え、前記保持体と前記アタッチメントを複数の係止手段で保持する構成とした電気掃除機。
【請求項２】
少なくとも一つの係止手段が、保持体に形成した保持リブとアタッチメントに形成した溝部の嵌合で構成されると共に、前記保持体に凸部を形成し、前記凸部に嵌合する凹部をアタッチメントに形成した請求項１記載の電気掃除機。
【請求項３】
吸引風を発する電動送風機を内蔵し、ホース、延長管、吸込具と連通する接続口を備えた掃除機本体と、隙間等を掃除する為のアタッチメントと、前記アタッチメントをホース或いは延長管に保持する為の保持体を備え、前記保持体に保持リブを形成し、前記保持リブと嵌合する溝部をアタッチメントに形成すると共に、前記保持体には保持した状態のアタッチメントの回動を規制する規制体を形成し、前記規制体に当接する規制面をアタッチメントに設けた電気掃除機。
【発明の詳細な説明】
【技術分野】
【０００１】
本発明は一般家庭で使用される電気掃除機に関するものである。
【背景技術】
【０００２】
従来の電気掃除機を、図８を用いて説明する。
【０００３】
一端が電気掃除機の本体（図示せず）に接続されたホース５１の他端に、通常使用時に操作する操作部５２を備えた先端パイプ部５３を設け、その下部にアタッチメント５４保持用係止部５５を一体に構成し、前記係止部５５にアタッチメント５４を保持する構成としており、係合部５６と嵌合部５７を有した保持体５８を前記係止部５５に係止し、アタッチメント５４の接続部５９を前記嵌合部５７に着脱自在に装着している（例えば、特許文献１参照）。
【特許文献１】特開平１１−３１８７７５号公報
【発明の開示】
【発明が解決しようとする課題】
【０００４】
しかしながら、前記従来の構成では、吸込具を用いての掃除をする時、アタッチメントは保持体に装着された状態であるが、使用中にアタッチメントが体に当たってしまうと、アタッチメントの接続部は保持体の嵌合部にただ挟まれて装着されているだけなので、嵌合力が弱く、脱落してしまうという課題を有していた。
【０００５】
本発明は上記課題を解決するもので、使用中でのアタッチメントの脱落を防止した使用性の良い電気掃除機を提供することを目的とする。
【課題を解決するための手段】
【０００６】
前記従来の課題を解決するために本発明の電気掃除機は、吸引風を発する電動送風機を内蔵し、ホース、延長管、吸込具と連通する接続口を備えた掃除機本体と、隙間等を掃除する為のアタッチメントと、前記アタッチメントをホース或いは延長管に保持する為の保持体を備え、前記保持体と前記アタッチメントを複数の係止手段で保持する構成としたもので、アタッチメントは保持体に複数の係止手段によって保持されており、アタッチメントの回転及び移動を規制し、確実に保持しているので、使用中でのアタッチメントの脱落を防止することができる。
【発明の効果】
【０００７】
本発明の電気掃除機は、使用中でのアタッチメントの脱落を防止した電気掃除機を提供できる。
【発明を実施するための最良の形態】
【０００８】
第１の発明は、吸引風を発する電動送風機を内蔵し、ホース、延長管、吸込具と連通する接続口を備えた掃除機本体と、隙間等を掃除する為のアタッチメントと、前記アタッチメントをホース或いは延長管に保持する為の保持体を備え、前記保持体と前記アタッチメントを複数の係止手段で保持する構成としたもので、アタッチメントは保持体に複数の係止手段によって保持されており、アタッチメントの回転及び移動を規制し、確実に保持しているので、使用中でのアタッチメントの脱落を防止することができる。
【０００９】
第２の発明は、少なくとも一つの係止手段が、保持体に形成した保持リブとアタッチメントに形成した溝部の嵌合で構成されると共に、前記保持体に凸部を形成し、前記凸部に嵌合する凹部をアタッチメントに形成したもので、アタッチメントの溝部が保持体の保持リブと嵌合すると共に、アタッチメントの凹部にも保持体の凸部が嵌合するので、アタッチメントの回転及び移動を規制し、確実に保持することができ、使用中でのアタッチメントの脱落を防止することができる。
【００１０】
第３の発明は、吸引風を発する電動送風機を内蔵し、ホース、延長管、吸込具と連通する接続口を備えた掃除機本体と、隙間等を掃除する為のアタッチメントと、前記アタッチメントをホース或いは延長管に保持する為の保持体を備え、前記保持体に保持リブを形成し、前記保持リブと嵌合する溝部をアタッチメントに形成すると共に、前記保持体には保持した状態のアタッチメントの回動を規制する規制体を形成し、前記規制体に当接する規制面をアタッチメントに設けたもので、アタッチメントの溝部が保持体の保持リブと嵌合すると共に、保持体の規制体がアタッチメントの規制面に当接するので、アタッチメントの回転及び移動を規制し、確実に保持することができ、使用中でのアタッチメントの脱落を防止することができる。
【００１１】
以下、本発明の実施の形態について、図面を参照しながら説明する。なお、この実施の形態によりこの発明が限定されるものではない。
【００１２】
（実施の形態１）
本発明の第１の実施の形態について、図１、２を用いて説明する。
【００１３】
一端が電気掃除機の本体（図示せず）に接続されたホース（図示せず）の他端に連通接続される延長管（図示せず）及び吸込具（図示せず）を設けると共に、隙間等を掃除する為のアタッチメント１を備え、アタッチメント１をホース或いは延長管に保持収納する為の保持体２を設けている。
【００１４】
アタッチメント１は、ホース或いは延長管に連通接続する接続管３と塵埃を吸引する吸引部４から構成され、保持体２は、一端にアタッチメント１を保持する嵌合部５を形成し、他端にはホース或いは延長管に係合する係合部６を形成している。
【００１５】
嵌合部５には、接続管３を保持固定する筋状に形成した保持リブ７と先端を略円錐状に形成した凸部８を嵌合部５の中央近傍に形成し、接続管３には、保持リブ７に嵌合する溝部９及び凸部８に嵌合する凹部１０を形成している。
【００１６】
凹部１０は、略長円状の貫通穴で形成すると共に、外郭側に嵌合時凸部８の誘いとなる傾斜面１１を形成している。
【００１７】
以上のように構成された電気掃除機について、以下その動作、作用を説明する。
【００１８】
まず、アタッチメント１を保持体２に保持させる時、接続管３の溝部９が嵌合部５の保持リブ７と嵌合すると共に、接続管３の凹部１０にも嵌合部５の凸部８が嵌合するので、アタッチメントの回転及び移動を規制し、確実に保持することができ、使用中でのアタッチメント１の脱落を防止することができる。
【００１９】
また、凹部１０を貫通穴で形成しているので、凸部８と凹部１０の掛かり代を増やすことができる為、確実に保持することができ、使用中でのアタッチメント１の脱落を防止することができる。
【００２０】
また、凹部１０を略長円状に形成しているので、アタッチメント１を保持体２に嵌合させる時、凸部８の大きさに対して凹部１０が広くなるので、容易に嵌合させて保持することができる。
【００２１】
略円錐状の凸部８先端が傾斜面１１に誘われて凹部１０と嵌合するので、容易に嵌合させて保持することができる。
【００２２】
さらに、凸部８を嵌合部５の中央近傍に形成しているので、嵌合位置が分かり易い位置なので、容易に嵌合させて保持することができる。
【００２３】
尚、本実施の形態において、嵌合する保持リブと溝部の内、保持リブを保持体に、溝部をアタッチメントにそれぞれ形成したが、保持リブをアタッチメントに、溝部を保持体にそれぞれ形成してもよい。また嵌合する凸部と凹部の内、凸部を保持体に、凹部をアタッチメントにそれぞれ形成したが、凸部をアタッチメントに、凹部を保持体にそれぞれ形成してもよい。
【００２４】
（実施の形態２）
本発明の第２の実施の形態について図３〜５をもとに説明する。なお、上記第１の実施の形態と同一部分については同一符号を付してその説明を省略する。
【００２５】
嵌合部５には、接続管３を保持固定する筋状に形成した溝部９と略長円状の貫通穴で形成した凹部１０を嵌合部５の中央近傍に形成し、接続管３には、溝部９に嵌合する保持リブ７及び凹部１０に嵌合する凸部８を形成している。
【００２６】
凸部８は、先端を略円錐状に形成しており、凹部１０は、接続管３との嵌合側に嵌合時凸部８の誘いとなる傾斜面１１を形成している。
【００２７】
また、アタッチメント１使用時には、ホース或いは延長管の接続部１２にアタッチメント１の接続管３を挿入し、保持リブ７及び凸部８の手前で嵌合するようになっている。
【００２８】
以上のように構成された電気掃除機について、以下その動作、作用を説明する。
【００２９】
まず、アタッチメント１を保持体２に保持させる時、接続管３の保持リブ７が嵌合部５の溝部９と嵌合すると共に、接続管３の凸部８にも嵌合部５の凹部１０が嵌合するので、アタッチメントの回転及び移動を規制し、確実に保持することができ、使用中でのアタッチメント１の脱落を防止することができる。
【００３０】
また、凹部１０を貫通穴で形成しているので、凸部８と凹部１０の掛かり代を増やすことができる為、確実に保持することができ、使用中でのアタッチメント１の脱落を防止することができる。
【００３１】
また、凹部１０を略長円状に形成しているので、アタッチメント１を保持体２に嵌合させる時、凸部８の大きさに対して凹部１０が広くなるので、容易に嵌合させて保持することができる。
【００３２】
略円錐状の凸部８先端が傾斜面１１に誘われて凹部１０と嵌合するので、容易に嵌合させて保持することができる。
【００３３】
さらに、凹部１０を嵌合部５の中央近傍に形成しているので、嵌合位置が分かり易い位置なので、容易に嵌合させて保持することができる。
【００３４】
また、保持体２の嵌合部５には溝部９と凹部１０が形成されているので、確実に保持する必要のない別のアタッチメントを備えた電気掃除機に共用して使用できる為、新たに部品を製作する必要がなく、コストを抑えることができる。
【００３５】
（実施の形態３）
本発明の第３の実施の形態について図６、７をもとに説明する。なお、上記第１、第２の実施の形態と同一部分については同一符号を付してその説明を省略する。
【００３６】
嵌合部５には、接続管３を保持固定する筋状に形成した保持リブ７とアタッチメント１の回動を規制する規制体１３を設け、接続管３には、保持リブ７に嵌合する溝部９及び規制体１３に当接する規制面１４を備えている。規制体１３は複数のリブ体１５から形成されている。
【００３７】
以上のように構成された電気掃除機について、以下その動作、作用を説明する。
【００３８】
まず、アタッチメント１を保持体２に保持させる時、接続管３の溝部９が嵌合部５の保持リブ７と嵌合すると共に、リブ体１５の先端部が接続管３の規制面１４に当接するので、アタッチメント１の回転及び移動を規制し、確実に保持することができ、使用中でのアタッチメント１の脱落を防止することができる。
【産業上の利用可能性】
【００３９】
以上のように、本発明にかかる電気掃除機は、使用中でのアタッチメントの脱落を防止することが可能となるので、掃除機本体、ホース、延長管などにアタッチメントを着脱自在に保持した電気掃除機などに極めて有用なものである。
【図面の簡単な説明】
【００４０】
【図１】本発明の実施の形態１における電気掃除機のアタッチメント及び保持体の全体斜視図
【図２】同電気掃除機のアタッチメントの要部斜視図
【図３】本発明の実施の形態２における電気掃除機の保持体の全体斜視図
【図４】同電気掃除機のアタッチメントの要部斜視図
【図５】同電気掃除機のアタッチメント使用時の要部斜視図
【図６】本発明の実施の形態３における電気掃除機の保持体の全体斜視図
【図７】同電気掃除機のアタッチメントの要部斜視図
【図８】従来の電気掃除機の要部概略図
【符号の説明】
【００４１】
１  アタッチメント
２  保持体
７  保持リブ
８  凸部
９  溝部
１０  凹部
１１  傾斜面
１３  規制体
１４  規制面
１５  リブ体
【図１】
2006043185.tif 000003
【図２】
2006043185.tif 000004
【図３】
2006043185.tif 000005
【図４】
2006043185.tif 000006
【図５】
2006043185.tif 000007
【図６】
2006043185.tif 000008
【図７】
2006043185.tif 000009
【図８】
2006043185.tif 000010